(57)【要約】【課題】建築物の周囲をシートで包囲して外部と遮断した工事空間内で建築物の解体作業を行うにあたり、外部から内部の観察を可能にし、内部から外部への緊急連絡や避難を容易にし、さらに工事用空間内の空気環境を良好にする。【解決手段】建築物１２を包囲するシート１３に非常扉２と覗き窓３を設け、工事用空間１４内と外部との間の有線通話装置であるインターホン４を設ける。また、ホース２２，２３を通じて工事用空間１４内の特定の箇所に向かって外部の空気が流入する構成とし、吸気用ダクト２１の中途に逆止め弁２５を設けて吸引装置２０停止時の工事用空間１４内の負圧を保持する構成とする。さらに、工事用空間１４内で使用するバックホウ３０の排気管３１に可撓性パイプ３２を接続し、この可撓性パイプ３２を通じてエンジンの排ガスを外部に排出する構成とする。【選択図】　　　　図１
2004143861.tif 000002
【特許請求の範囲】
【請求項１】
被解体物である建築物の周囲をシートで包囲して外気と遮断した工事用空間を形成し、前記工事用空間内の気圧を大気圧より低く保持した状態で前記建築物を解体する装置において、前記建築物を包囲するシートの１箇所または複数箇所に非常扉と透明材料を用いた覗き窓を設け、さらに工事用空間内と外部との間に有線通話装置を設けたことを特徴とする建築物解体用装置。
【請求項２】
被解体物である建築物の周囲をシートで包囲して外気と遮断した工事用空間を形成し、前記工事用空間内の気圧を大気圧より低く保持した状態で前記建築物を解体する装置において、前記工事空間内の特定の箇所から前記シートの外側に通じる可撓性パイプを設置し、この可撓性パイプを通じて前記特定の箇所に向かって外部の空気が流入する構成としたことを特徴とする建築物解体装置。
【請求項３】
前記工事用空間内を負圧にするための吸気用ダクトの前記シートの外側にあるダクトの中途に拡縮自在な袋体を介在させ、この袋体の排気側のダクトとの接続部に逆止め弁を設け、吸引ポンプ停止時の工事用空間内の負圧を保持する構成としたことを特徴とする請求項１または２に記載の建築物解体装置。
【請求項４】
被解体物である建築物の周囲をシートで包囲して外気と遮断した工事用空間を形成し、前記工事用空間内の気圧を大気圧より低く保持した状態で前記建築物を解体する工法において、前記工事用空間内で使用するエンジン付き機械の排気管に前記建築物を包囲するシートの外側から可撓性パイプを接続し、この可撓性パイプを通じてエンジンの排ガスを外部に排出させることを特徴とする建築物解体工法。
【発明の詳細な説明】
【０００１】
【発明の属する技術分野】
本発明は、既設の建築物を解体撤去する際の解体用装置および解体工法に関する。
【０００２】
【従来の技術】
既設の建築物を撤去するために解体する場合、その周りが開放されたままの状態で解体作業を行うと、解体作業中に発生する大量の粉塵が飛散して周囲の環境に悪影響を与えたり、ガラス破片などの破砕された建築部材が周辺に落下して人的、物的被害を生じたりする。そこで、解体する建築物の周りを足場とシートで囲んで粉塵の飛散や部材の落下を防ぐとともに、解体中の建築物や作業空間に散水して粉塵の飛散を抑えながら解体作業を行うことが一般的に行われている。
【０００３】
しかし、たんに建築物の周りを足場とシートで囲んだだけでは、建築物の上方は開放状態であるため、風に乗って上昇しやすい微細な粉塵などの飛散を止めることはできない。また、粉塵の飛散を抑えるために解体作業中は頻繁に散水する必要があるため大量の水が必要であり、撒かれた水が隣接地や道路などに流出して悪影響を与えることがないように排水対策を講じる必要がある。さらに、アスベストなどの有害資材が使用された古い建築物や、ごみ焼却炉などのように焼却灰に含まれていた有害物質が残留している可能性のある建築物などを解体する場合有害物質が飛散して環境汚染を引き起こすおそれがある。
【０００４】
このような問題点に対し本出願人は、被解体物である建築物の周囲をシートで包囲して外気と遮断した工事用空間を形成し、この工事用空間内の気圧を大気圧より低く保持した状態で建築物を解体する工法を開発し、特許文献１として開示した。このような工法とすることにより、外気と遮断された工事用空間は常に負圧に保たれ、工事用空間内の空気が外部に拡散しないようにして解体作業を行うことができる。これにより、解体作業中に発生した粉塵や残留有害物質などが工事用空間から外へ飛散することがなく、解体作業中の散水も不要となる。
【０００５】
【特許文献１】
特開２００２−４７８１２号公報（段落番号０００７−００１１）
【０００６】
【発明が解決しようとする課題】
ところで、上記の工法のように建築物の上方も含めて建築物全体をシートで包囲して、このシートで囲まれた内部で解体作業の一切を行うようにした場合、外部から内部の状態を観察することができず、外部から解体作業の進捗状況や作業状況を把握することができないという問題がある。内部で作業中の人以外の人が内部の状態を観察するためには、内部で作業を行う人と同様に、保護帽、マスク、防護服、安全靴などを着用して工事用空間に入り、退出するときはエアシャワーでのクリーニングが必要であるなど、工事用空間への出入りが非常に面倒である。
【０００７】
内部で作業する人にとっても、外部と遮断された工事用空間内で作業を行うなかで、緊急に外部との連絡が必要になった場合、簡単に連絡する手段がなかった。携帯電話を所持していたとしても、作業者は防塵マスクや防護手袋を着用しており、電話機の操作や通話は不可能に近い。
また、作業中に事故発生などにより作業者が緊急に工事用空間から避難退出しなければならない事態が発生した場合、工事用空間からの出口が１箇所しかないために、多数の作業者が一斉に退出するのが困難であり、また出口から遠い場所で作業している人は避難が遅れて大事に至るおそれがある。
【０００８】
また、工事用空間では１時間あたり３〜６回の換気が行われるが、工事用空間内には建築物内の壁で仕切られた部屋や地下室、建家解体後の地面の凹部などがあり、これらの場所では空気が滞留して換気が不十分となり、作業環境が悪くなる。また、工事用空間内でエンジン付きの工事用機械を稼働させると、エンジンの排ガスが工事用空間内に排出されて作業環境が悪化する。
【０００９】
本発明が解決すべき課題は、外部と遮断された工事空間内で建築物の解体作業を行うにあたり、外部から内部の状態を容易に観察することを可能にし、また内部から外部への緊急連絡や避難を容易にすることにあり、さらに、工事用空間内の換気と工事用機械の排ガスの排出を完全なものとすることにある。
【００１０】
【課題を解決するための手段】
本発明の建築物解体用装置は、被解体物である建築物の周囲をシートで包囲して外気と遮断した工事用空間を形成し、前記工事用空間内の気圧を大気圧より低く保持した状態で前記建築物を解体する装置において、前記建築物を包囲するシートの１箇所または複数箇所に非常扉と透明材料を用いた覗き窓を設け、さらに工事用空間内と外部との間に有線通話装置を設けたことを特徴とする。
【００１１】
建築物を包囲するシートに非常扉と覗き窓を設け、さらに外部との間に有線通話装置を設けたことにより、工事用空間内で緊急事態が発生したときに、素早く外部に連絡できるとともに、緊急に工事用空間内からの脱出が必要なときに非常扉から脱出することができる。また覗き窓を設けたことで、シートで包囲された工事空間内の状態を外部から容易に観察することができる。
【００１２】
前記非常扉は、緊急避難用の扉であるから、内部からのみ開けることができる構造とするのが望ましい。平常時は、工事用空間内への出入りは専用の出入口から出入りすることで、工事用空間内の負圧状態を維持するようになっているが、緊急時にはやむを得ない処置として非常扉からの脱出を認めるものである。この場合、扉の閉止具は、作業者が防護手袋を着用したままの状態で容易に開けることができるような簡単な構造のもの、たとえば単純に押したり傾けたりするだけで固定が解除できるような構造のものが好ましい。
【００１３】
前記覗き窓は、外部から工事用空間内の状態を観察するためのものであるから、人が立った状態での目線の高さあたりに設け、透明部分の面積は、複数の人が同時に観察することが可能な面積とするのが望ましい。この覗き窓は、シートに単独に設けてもよいが、前記の非常扉に設けるようにしてもよい。シートに設ける場合は、比較的広い透明樹脂シートを他のシート素材に接続させるだけでよく、非常扉に設ける場合は、透明ガラス板または透明樹脂板を扉の一部に設けた構造とすればよい。
【００１４】
前記有線通話装置は、主として緊急連絡用のものであるから、防護手袋を着用したままの作業者が容易に操作できる構造のものが望ましい。一般にインターホンと呼ばれる通話装置であれば、通話ボタンを押すだけで相手方と相互通話が可能であるので、工事用空間内の適当な場所と外部の工事事務所などとを有線でつないでインターホンを設置すれば、緊急連絡用に適した通話装置となる。
【００１５】
本発明に係る非常扉、覗き窓および有線通話装置を設置する装置は、被解体物である建築物の周囲をシートで包囲して外気と遮断した工事用空間を形成する包囲装置が対象装置となるが、実際の解体作業に必要な装置類はそのほかに、工事用空間への通路、工事用空間からの空気吸引装置、解体や搬送用の機器類、排水処理装置などの種々の装置がある。
【００１６】
また、本発明の建築物解体用装置として、前記工事空間内の特定の箇所から前記シートの外側に通じる可撓性パイプを設置し、この可撓性パイプを通じて前記特定の箇所に向かって外部の空気が流入する構成とすることができる。このような構成とすることにより、解体中の建築物内部の壁で仕切られた部屋や地下室、あるいは解体後に生じた地面の凹部などの特定の箇所に外部の空気を流入させることによって、特定の箇所に滞留した空気を追い出して換気を行い、良好な作業環境を保つことができる。ここで用いる可撓性パイプとしては、フレキシブルダクトや柔軟なホースを用いることができる。
【００１７】
さらに、前記工事用空間内を負圧にするための吸気用ダクトの前記シートの外側にあるダクトの中途に拡縮自在な袋体を介在させ、この袋体の排気側のダクトとの接続部に逆止め弁を設け、吸引装置停止時の工事用空間内の負圧を保持する構成とすることもできる。このような構成とすることにより、吸引装置による吸引中は袋体は膨らみ、逆止め弁は開いて工事用空間内の空気が吸引され、吸引装置が停止したときは袋体は萎み、逆止め弁は閉じて工事用空間内の負圧状態が保たれる。
【００１８】
上記のように被解体物である建築物の周囲をシートで包囲して外気と遮断した工事用空間内で解体工事を行うに際して、工事用空間内で使用するエンジン付き機械の排気管に前記シートの外側から可撓性パイプを接続し、この可撓性パイプを通じてエンジンの排ガスを外部に排出する方法を採用することが望ましい。工事用空間内で使用するエンジン付き機械としては種々の工事用機械があるが、エンジンの排ガスをそのまま工事用空間内に排出すると作業空間に排ガスが充満することになるので、排気管に可撓性パイプを接続して、排ガスを外部に排出し、良好な作業環境を保つようにする。ここで用いる可撓性パイプとしては、金属製のフレキシブルパイプを用いることができる。
【００１９】
【発明の実施の形態】
図１は本発明の実施形態における建築物周囲の遮蔽状況を示す図であり、図２は図１におけるＡ−Ａ線断面図である。図３は包囲装置に設ける非常扉と覗き窓および工事用空間内に設ける有線通話装置の配置を示す図である。
【００２０】
本実施形態では、図１に示すように、支柱１０およびワイヤ１１を用いて、解体すべき建築物１２の四面と上面を含む周囲にテントなどに使用される合成樹脂製のシート１３（１３ａ，１３ｂ，１３ｃ，１３ｄ，１３ｅ）を張設して、建築物１２の周囲を包囲するとともに、シート１３の下縁部分をコンクリートブロック１５で押さえて地面１６に固定することによって包囲装置１を構成し、外気から遮断された工事用空間１４を形成している。
【００２１】
工事用空間１４の前面には、外部に通じる通路１７が設けられ、通路１７の前部すなわち外部との境界部、および通路１７の後部すなわち工事用空間１４との境界部に、それぞれ開閉扉１８（図１には前部の開閉扉のみ示す）が設けられている。開閉扉１８は、工事中は閉め切っており、人や車両が出入りするときのみ前部から後部、または後部から前部の順に開閉するものである。
【００２２】
また、工事用空間１４の一方の側面後方には、工事用空間１４内の空気を吸引する吸引装置２０と、工事用空間１４と吸引装置２０とを連通するダクト２１が配置されている。吸引装置２０は、エアポンプとその駆動モータおよび集塵装置（いずれも図示せず）で構成されている。
【００２３】
本実施形態においては、全体として概略直方体形状をした包囲装置１の側面部のシート１３ａに非常扉２と覗き窓３を設け、さらに工事用空間１４内の一隅にインターホン４を設けている。
【００２４】
非常扉２は、万一工事用空間１４内で事故が発生した場合の非常脱出用の扉である。この非常扉２は外部から開けることはできず、内部からのみ開けることができる構造とし、閉止具は、緊急時に作業者が防護手袋を着用したままの状態で容易に開けることができるような簡単な閂構造としている。非常扉２の上部には透明ガラス２ａをはめ込み、外部から作業用空間１４内を覗くことができるようにしている。
【００２５】
覗き窓３は、工事関係者が外部から工事の進捗状況を観察したり、見学者が工事用空間１４内の状態を観察したりするためのものである。覗き窓３は人が出入りするためのものではないので、開閉のできない固定式の窓である。本実施形態では、透明部分に透明合成樹脂シート３ａを用い、工事終了時にはシート１３ａとともに折りたたんで撤去できるようになっている。
【００２６】
インターホン４は、工事用空間１４内で作業をしている人が外部の工事事務所と連絡するための有線通話装置である。設置の目的は緊急連絡用のものであるから、防護手袋を着用したままの作業者が容易に操作できる構造のものとして、通話ボタンを押すだけで相手方と相互通話が可能な装置である。工事事務所（図示せず）とつなぐケーブル５は地中に埋設している。
【００２７】
図４は本発明の実施形態における換気用の空気流入ホースの配置例を模式的に示す図である。
同図の（ａ）は、建家解体後の地面１６の凹部１６ａ（図中、一点鎖線で示す区域）に一端を指向させ、他端をシート１３の外側に通じるようにホース２２を取り付け、このホース２２を通じて凹部１６ａに向かって外部の空気が流入する構成としたものである。同図では凹部１６ａは６箇所示しているが、実際に強制換気が必要な箇所についてホース２２を配置すればよい。
【００２８】
同図の（ｂ）は、凹部１６ａへのホース２２の配置とともに、壁で仕切られた部屋１２ａへのホース２３の配置を示す。ホース２３の一端は部屋１２ａの床１２ｂを指向させ、他端をシート１３の外側に通じるようにホース２３を取り付ける。このホース２３を通じて部屋１２ａ内に向かって外部の空気が流入する構成としたものである。
【００２９】
図２に示すように吸引装置２０によりダクト２１を通じて工事用空間１４内の空気を吸引した場合、凹部１６ａや部屋１２ａには吸引力が及ばずに空気が滞留し、換気が行われにくい。そこで、外部に通じるホース２２やホース２３の一端を凹部１６ａや部屋１２ａの床１２ｂに指向させて配置することにより、吸引装置２０で吸引したときに、ホース２２，２３の他端から外部の空気が吸引されて凹部１６ａや部屋１２ａ内に流入するので、凹部１６ａや部屋１２ａ内の換気が十分に行われることになる。
【００３０】
図５は吸気用ダクトに逆止め弁を設けた状態を示す図である。工事用空間１４内を負圧にするための吸引装置２０がなんらかの理由により停止した場合、ダクト２１を通じて外気が工事用空間１４内に流入すると負圧状態が保持できなくなる。そこで、シート１３の外側にあるダクト２１の中途に拡縮自在な袋体２４を介在させ、この袋体２４の排気側のダクト２１ａとの接続部に逆止め弁２５を設け、吸引装置２０が停止したときの工事用空間１４内の負圧を保持する構成とする。このような構成とすることにより、吸引装置２０による吸引中は袋体２４は膨らみ、逆止め弁２５は開いて工事用空間１４内の空気が吸引され、吸引装置２０が停止したときは袋体２４が萎み、逆止め弁２５が閉じて工事用空間１４内の負圧状態が保たれる。なお、図２では吸引用のダクトは１箇所のみに設けた状態を示しているが、ダクトは複数箇所に設置することもできる。
【００３１】
図６は工事用空間で使用する作業用重機の排気管に排ガス排出用の可撓性パイプを取り付けた状態を示す図である。解体作業に使用されるエンジン付き機械としては各種の作業用重機があるが、図６にはバックホウを示している。このバックホウ３０の排気管３１に排ガス排出用の可撓性パイプ３２を接続している。可撓性パイプ３２はスチール製であり、端部排出口はシート１３の外部にある。図では可撓性パイプ３２は短く表しているが、実際の長さは工事用空間１４内でバックホウ３０が移動するのに支障のない長さである。図中、３４は可撓性パイプ３２を吊り下げるワイヤであり、３３はワイヤ３４を係止するためバックホウ３０の後部に設置した支柱である。他の作業用重機にも同様な排ガス排出用の可撓性パイプを接続することにより、工事用空間１４に排ガスが排出されることがなくなり、良好な作業環境を保つことができる。
【００３２】
【発明の効果】
（１）本発明の建築物解体用装置では、建築物を包囲するシートに非常扉と覗き窓を設け、さらに外部との間に有線通話装置を設けたことにより、工事用空間内で緊急事態が発生したときに、素早く外部に連絡できるとともに、緊急に工事用空間内からの脱出が必要なときに非常扉から脱出することができる。また、覗き窓を設けたことで、シートで包囲された工事空間内の状態を外部から容易に観察することができる。
【００３３】
（２）また、工事空間内の特定の箇所からシート外側に通じる可撓性パイプを設置し、この可撓性パイプを通じて特定の箇所に向かって外部の空気が流入する構成とすることにより、解体中の建築物内部の壁で仕切られた部屋や地下室、あるいは解体後に生じた地面の凹部などの特定の箇所に外部の空気を流入させ、特定の箇所に滞留した空気を追い出して換気を行い、良好な作業環境を保つことができる。
【００３４】
（３）また、工事用空間内を負圧にするための吸気用ダクトのシート外側にあるダクトの中途に拡縮自在な袋体を介在させ、この袋体の排気側のダクトとの接続部に逆止め弁を設け、吸引ポンプ停止時の工事用空間内の負圧を保持する構成とすることにより、吸引装置が停止したときでも工事用空間内の負圧状態を保つことができる。
【００３５】
（４）工事用空間内で使用するエンジン付き機械の排気管にシート外側から可撓性パイプを接続し、この可撓性パイプを通じてエンジンの排ガスを外部に排出させることにより、工事用空間に排ガスが排出されることがなくなり、良好な作業環境を保つことができる。
【図面の簡単な説明】
【図１】本発明の実施形態における建築物周囲の遮蔽状況を示す図である。
【図２】図１のＡ−Ａ線における断面を示す図である。
【図３】包囲装置に設ける非常扉と覗き窓および工事用空間内に設ける有線通話装置の配置を示す図である。
【図４】本発明の実施形態における換気用の空気流入ホースの配置例を模式的に示す図である。
【図５】吸気用ダクトに逆止め弁を設けた状態を示す図である。
【図６】工事用空間で使用する作業用重機の排気管に排ガス排出用の可撓性パイプを取り付けた状態を示す図である。
【符号の説明】
１　包囲装置
２　非常扉
２ａ　透明ガラス
３　覗き窓
３ａ　透明合成樹脂シート
４　インターホン
５　ケーブル
１０　支柱
１１　ワイヤ
１２　建築物
１２ａ　部屋
１２ｂ　床下
１３　シート
１４　工事用空間
１５　コンクリートブロック
１６　地面
１６ａ　凹部
１７　通路
１８　開閉扉
２０　吸引装置
２１，２１ａ　ダクト
２２，２３　ホース
２４　袋体
２５　逆止め弁
３０　バックホウ
３１　排気管
３２　可撓性パイプ
３３　ワイヤ
３４　支柱
【図１】
2004143861.tif 000003
【図２】
2004143861.tif 000004
【図３】
2004143861.tif 000005
【図４】
2004143861.tif 000006
【図５】
2004143861.tif 000007
【図６】
2004143861.tif 000008